(57)【要約】【課題】自動販売機用押釦スイッチが取り付けられる前面パネルの裏側と取付部材との間にケーブルを挟むことがなく自動販売機用押釦スイッチを前面パネルに取り付けることができる自動販売機用押釦スイッチを提供する。【解決手段】この自動販売機用押釦スイッチ１は、ベース８の長手方向の上縁側および下縁側に沿って複数ケーブルガイド８５を設け、ベースの長手方向中央に沿ってボス部８３を設けている。ケーブルは、ケーブルガイド８５とボス部８３との間を引き回すようにした。【選択図】      図１
2004192886.tif 000002
【特許請求の範囲】
【請求項１】
自動販売機の前面パネルの表側に取り付けられる自動販売機用押釦スイッチにおいて、
押釦穴を有するケースと、
前記前面パネル側に設けられ、前記ケースと組み合わされることによって内部に所定の空間を形成するベースと、
前記空間内に位置するようにスイッチ素子を含む回路素子を搭載した回路基板と、
前記押釦穴に弾性的に収容され、押圧操作によって前記スイッチ素子をオンする押釦と、
前記前面パネルに形成された挿通穴に前記前面パネルの表側から挿通され、前記回路基板から導出されるケーブルを案内する案内部材とを備えたことを特徴とする自動販売機用押釦スイッチ。
【請求項２】
前記案内部材は、前記ベースの周縁に沿って形成された一対の案内部と、前記一対の案内部との間に前記ケーブルの案内路を形成する取付部材とを備え、前記取付部材は、前記前面パネルの裏側から前記ケースと係合していることを特徴とする請求項１記載の自動販売機用押釦スイッチ。
【請求項３】
前記押釦穴、前記スイッチ素子および前記押釦は、複数設けられていることを備えることを特徴とする請求項１記載の自動販売機用押釦スイッチ。
【発明の詳細な説明】
【０００１】
【発明の属する技術分野】
本発明は、自動販売機用押釦スイッチに関し、特に、自動販売機用押釦スイッチが取り付けられる前面パネルの裏側と取付部材との間にケーブルを挟むことむことがなく自動販売機用押釦スイッチを前面パネルに取り付けることができる自動販売機用押釦スイッチに関する。
【０００２】
【従来の技術】
従来、自動販売機用押釦スイッチには、販売可を示す表示と売り切れを示す表示がなされている。これらの表示には、消費電力が少なくてすむＬＥＤが使用されている。そのため、回路部品に所定の電源を電源部から供給し、また、商品の価格あるいは売切れか否かなどに関する情報について制御部と回路部品との間で送受信を行うためのケーブルが必要とされる。（例えば、特許文献１参照。）。
【０００３】
【特許文献１】
特開平１１−１１１０９７号公報（第４頁、図６）
【０００４】
【発明が解決しようとする課題】
しかし、従来の自動販売機用押釦スイッチによると、自動販売機の前面パネルに取り付けようとする場合、ケーブルが可撓性を有するため、ケーブルを自動販売機用押釦スイッチが取り付けられる前面パネルの裏側と取付部材との間に挟んでしまい、ケーブルの線材が切断されるおそれがあるという問題がある。
【０００５】
従って、本発明の目的は、自動販売機用押釦スイッチが取り付けられる前面パネルの裏側と取付部材との間にケーブルを挟むことがなく自動販売機用押釦スイッチを前面パネルに取り付けることができる自動販売機用押釦スイッチを提供することにある。
【０００６】
【課題を解決するための手段】
本発明は、上記目的を達成するため、自動販売機の前面パネルの表側に取り付けられる自動販売機用押釦スイッチにおいて、押釦穴を有するケースと、前記前面パネル側に設けられ、前記ケースと組み合わされることによって内部に所定の空間を形成するベースと、前記空間内に位置するようにスイッチ素子を含む回路素子を搭載した回路基板と、前記押釦穴に弾性的に収容され、押圧操作によって前記スイッチ素子をオンする押釦と、前記前面パネルに形成された挿通穴に前記前面パネルの表側から挿通され、前記回路基板から導出されるケーブルを案内する案内部材とを備えたことを特徴とする自動販売機用押釦スイッチを提供する。
【０００７】
この構成によれば、回路基板から導出されるケーブルは、ベース内を引き回すときに、案内部材に案内される。
【０００８】
【発明の実施の形態】
図１は、本発明の実施の形態に係る自動販売機用押釦スイッチを示し、図１（ａ）は正面図、図１（ｂ）は下面図、および図１（ｃ）は背面図を示す。図２および図３は、自動販売機用押釦スイッチの断面を示し、図２は図１のＩＩ−ＩＩ線に沿う一部拡大断面図、図３（ａ）は図１のＩＩＩＡ−ＩＩＩＡ線に沿う拡大断面図、および図３（ｂ）は図１のＩＩＩＢ−ＩＩＩＢ線に沿う拡大断面図である。この自動販売機用押釦スイッチ１は、自動販売機の前面パネル９（図２参照）に固定されるベース８と、ベース８に取り付けられるケース２と、ケース２の押釦穴２ａに収容される複数（図示では５つ）のスイッチ部３と、ケース２とベース８を組み合わせてできた空間内に配置される回路基板７と、回路基板７上の後述するＬＥＤの発光光を案内するリフレクタ６とを有する。
【０００９】
ケース２は、ＡＢＳ樹脂やＡＳＡ樹脂のような、耐薬品性および耐候性を有する樹脂により製作される。
【００１０】
スイッチ部３は、ポリカーボネートなどのような耐候性を有し、特定の色のみ（例えば赤色）を透過する樹脂により形成されたレンズ状の押釦３０を有し、押釦３０の内側に、ネームプレート４が配置されている。押釦３０は、下方に突起３１ｅおよび３１ｆが設けられ、押釦３０を確実に押下できるようにしている。
【００１１】
ネームプレート４は、シート状のものであって、楕円形の図形４１ａと、「売切」の文字４１ｂと、「￥」の文字４１ｃと、７セグメントの液晶文字を透過する切り欠き窓４１ｄとが形成されている（切り欠き窓４１ｄについては図２参照）。図形４１ａ、文字４１ｂ、４１ｃおよび切り欠き窓４１ｄの部分は、後述する回路基板７に実装された赤色ＬＥＤの光が透過する光透過部分となっており、図形４１ａ、文字４１ｂ、４１ｃおよび切り欠き窓４１ｄ以外の部分は、光遮光部分となっている。なお、図形４１ａは、販売可能を表示し、「￥」の文字４１ｃは、日本円を表示する。
【００１２】
ベース８は、複数の個所に設けられた係止片８１、ボス部８３および放熱穴８７と、上縁側および下縁側の複数の個所に設けたケーブルガイド８５と、所定の１個所に形成された穴部８ｃとを備えている。ベース８は、ＡＢＳ樹脂やＡＳＡ樹脂のような、耐薬品性および耐候性を有する樹脂により製作される。ベース８は、前面パネル９と接する部分にパッキン１１が取り付けられる。パッキン１１は、前面パネル９に自動販売機用押釦スイッチ１を水密的に組み付けるためのもので、ウレタンなどの弾性を有するゴム、樹脂等により形成する。係止片８１は、後述するように自動販売機用押釦スイッチ１を前面パネル９に取り付ける際の仮止めに使用される。係止片８１は、ボス部８３側に屈曲部８１ａを形成し、屈曲部８１ａから回路基板７側に向かう弾性を有する傾斜部８１ｂを備えている。ボス部８３は、後述するチャンネル部材１０をねじ１２により取り付けるねじ穴８２を有し、ボス部８３から４方向に向かうリブ８３ａが形成されている。ケーブルガイド８５は、ケーブルをベース８に沿って案内するために使用される。放熱穴８７は、回路基板７に搭載されている部品の発熱に伴う熱を排出するようになっている。ベース８の放熱穴８７の周囲には、リブ８７ａが設けられている。リブ８７ａは、ベース８を前面パネル１０に挿入する際のガイドの役目を果たし、また、雨水の浸入を防止するようになっている。穴部８ｃは、回路基板７に取り付けられているコネクタ７９を突出させるものである。なお、回路基板７の前面側で発生した熱は、矢印１２０に示すように、回路基板７の貫通穴７ａ（後述する）を通って回路基板７の裏面側に移動する。回路基板７の裏面側に移動した熱は、熱の流れ方向を示す矢印１２０に従って回路基板の裏面側で発生した熱とともにベース８の放熱穴８７を通って、自動販売機用押釦スイッチ１の外方に排出される。
【００１３】
図４は、回路基板７を示し、図４（ａ）は正面図、図４（ｂ）は底面図、および図４（ｃ）は背面図を示す。回路基板７の表面上は、複数の押釦３０にそれぞれ対応して設けられた７セグメント表示器７１、赤色ＬＥＤ７２、７３、７４およびスイッチ７５と、自動販売機用押釦スイッチ１の点灯制御を行うＩＣ７８とが搭載されている。回路基板７は、７セグメント表示器７１の上下に、放熱効果を高めるため矩形状の貫通穴７ａをあけている。回路基板７の裏面側には、ＬＥＤ７２、７３および７４の電流制限抵抗７７などのように発熱しやすい回路素子が搭載されている。また、回路基板７の裏面に、外部から電源を供給されまたは制御信号の入出力を行うためのコネクタ７９が設けられ、コネクタ７９の端子７６の他端は、回路基板７を貫通し、表面側に突出している。
【００１４】
７セグメント表示器７１は、７つのセグメント（ＬＥＤ）の発光により商品の価格表示を行い、赤色ＬＥＤ７２は、ネームプレート４の図形４１ａに対応する位置に配され、販売可能を表示する。赤色ＬＥＤ７３は、ネームプレート４の「売切」の文字４１ｂに対応する位置に配され、売切れを表示する。赤色ＬＥＤ７４は、ネームプレート４の日本円を示す「￥」文字４１ｃに対応する位置に配され、「￥」を表示する。スイッチ７５は、商品選択の際、押釦３０を介して押されるものである。
【００１５】
ＩＣ７８は、販売可能を表示するＬＥＤ７２、売切れを表示するＬＥＤ７３、「￥」文字を表示するＬＥＤ７４および価格を表示する７セグメント表示器７１のそれぞれの表示ならびに対応する商品の在庫状況などを後述する制御部１５（図８参照）に送信するとともに、制御部１５からの制御信号に従って各ＬＥＤ７２、７３、７４および７セグメント表示器７１の表示の制御を行うものである。
【００１６】
リフレクタ６は、回路基板７の表面上に配置される。リフレクタ６は、回路基板７に実装されたＬＥＤ７２、７３、７４および７セグメント表示器７１の光の拡散を押えながら放射するためのもので、光通過穴６ｂおよびリフレクト面６ａを備えている（図２参照）。リフレクタ６は、耐光劣化性を有するＡＥＳ樹脂などにより形成する。
【００１７】
回路基板７とリフレクタ６は、透光性を有するシリコンカバー５で水密的にカバーされる。シリコンカバー５は、弾性を有するシリコン樹脂により形成され、押釦３０をケース２側に押圧するものである。シリコンカバー５の押釦３０の上方３０ｂに相当する部分は厚肉部５ｂが形成されている。
【００１８】
図５は、スイッチ部３の詳細を示し、図５（ａ）は図１のＶＡ−ＶＡ線に沿う断面図、および図５（ｂ）はスイッチ部３の拡大正面図である。押釦３０は、その周囲に鍔部３０ａを形成し、鍔部３０ａの上方部３０ｂは、ケース２の開口段部２ｂとシリコンカバー５の厚肉部５ｂとにより挟持されている。押釦３０の鍔部３０ａの左右部３０ｃ、３０ｃおよび下方部３０ｄは、シリコンカバー５により弾性的にケース２側に押圧されており、鍔部３０ａの左右部３０ｃ、３０ｃおよび下方部３０ｄとシリコンカバー５との間にそれぞれ隙間を生じている。シリコンカバー５の突起部５ｃは、スイッチ７５のアクチュエータ部７５ａに対応している。
【００１９】
スイッチ７５は、シリコンカバー５の突起部５ｃが押し下げられることによりアクチュエータ部７５ａを押し下げ、「オン」状態となる。このとき、押釦３０は、上方部３０ｂのみが固定されているため、上方部３０ｂがヒンジの働きをし、押釦３０は上方部３０ｂを中心に図５（ａ）の２点鎖線ａで表わすように若干回動してスイッチ７５を押し下げる。
【００２０】
図６は、自動販売機用押釦スイッチ１の組立て状態を示す分解斜視図を示す。自動販売機用押釦スイッチ１は、以下のように組立てられる。ベース８の周縁段部８ａ上に回路基板７を配し、回路基板７上にリフレクタ６を配置する。ベース８の周縁段部８ａの外側に形成された細溝部８ｂに回路基板７とリフレクタ６とを水密的にカバーするシリコンカバー５の周縁部５ａを挿入する（図２、図３参照）。押釦３０はその内部にネームプレート４を配し、さらにシリコンカバー５は、押釦３０の内側に挿入し、押釦３０はケース２の押釦穴２ａから突出させる。ケース２とベース８との接触部分を溶着することにより自動販売機用押釦スイッチ１が完成する。
【００２１】
図７は、自動販売機用押釦スイッチ１を前面パネル９に取り付ける概念図である。前述のように組立てられた自動販売機用押釦スイッチ１は、前面パネル９にまず組み付けられる。前面パネル９は、ベース８のケーブルガイド８５、係止片８１およびボス部８３に対応した矩形状の挿通穴９１があけられている。この挿通穴９１にベース８のケーブルガイド８５、係止片８１およびボス部８３をそれぞれ挿入する（図７（ａ））。このとき、前面パネル９の挿通穴９１の縦辺９１ａは、ベース８の係止片８１の傾斜部８１ｂの弾性に抗しながら挿入され（図７（ｂ））、係止片８１の先端８１ｃを越えると、係止片８１の傾斜部８１ｂは元の状態に復元し、ベース８と前面パネル９とが係合する（図７（ｃ））。この状態では、係止片８１の先端８１ｃは、前面パネル９とベース８との係合が外れて自動販売機用押釦スイッチ１が前面パネル９から脱落しないようにストッパの役目を果たす。
【００２２】
ただし、この段階では、ベース８と前面パネル９とが固定される必要がないため、自動販売機用押釦スイッチ１が前面パネル９から外れなければよく、仮止めの状態である。この状態で、鋼板などにより形成した断面コ字状のチャンネル部材１０のねじ穴１０ａとベース８のねじ穴８２を利用してねじ１２によりチャンネル部材１０を固定する。これによって、自動販売機用押釦スイッチ１が前面パネル９に取り付けられることとなる。
【００２３】
図８は、２つの自動販売機用押釦スイッチ１を長手方向に配置する場合のケーブルの引き回しを示す。一方の自動販売機用押釦スイッチ１のケーブル１３は、自動販売機用押釦スイッチ１のコネクタ７９に接続されるコネクタ１３ａおよび他端に制御部１５と接続するためのコネクタ１３ｂを備え、他方の自動販売機用押釦スイッチ１のケーブル１４も同様にコネクタ１４ａおよび１４ｂを備えている。
【００２４】
コネクタ１３ａおよび１４ａを自動販売機用押釦スイッチ１のコネクタ７９に接続してケーブル１３、１４を制御部１５まで引き回す場合、前述した仮止めの状態でケーブル１３、１４の処理を行う。ケーブル１３、１４は、チャンネル部材１０とベース８とをねじ止めする際に、チャンネル部材１０と前面パネル９の裏面との間にケーブル１３、１４を挟んでしまうことがあるため、ケーブルガイド８５とボス部８３との間を通しながら自動販売機用押釦スイッチ１に沿って引き回し、必要なら紐などの結束具により、例えば、ケーブル１３、１４とケーブルガイド８５とを結ぶ。
【００２５】
図９は、本発明に係る自動販売機用押釦スイッチ１を適用した自動販売機を示す。この自動販売機１００は、略箱型状の販売機本体１０１を有し、この販売機本体１０１の前面に開閉可能な主扉１０２を設けている。主扉１０２には、前面パネル１０３によって形成した展示スペースを備えている。この展示スペースには、商品サンプル１０４が陳列され、前面パネル１０３の表面には、ケース２に商品を選択する複数の押釦３０を備えた複数の自動販売機用押釦スイッチ１が設けられている。また、主扉１０２には、紙幣を挿入する紙幣挿入口１０６と、硬貨を投入する硬貨投入口１０７と、紙幣または硬貨を返却する返却レバー１０８と、釣銭切れ表示や挿入された紙幣または投入された硬貨の金額の表示を行う表示器１０９と、施錠により主扉１０２の開動作をロックするドアロック１１０と、商品を取り出す商品取出口１１１と、釣銭を返却する釣銭返却口１１２とを配設している。
【００２６】
次に、図１、図８および図９を参照して本自動販売機１００の動作を説明する。通常時、それぞれの押釦３０に相当する商品の価格を７セグメント表示器７１の液晶文字と「￥」を表示するＬＥＤ７４とにより表示している。購入者が所定の硬貨を硬貨投入口１０７に投入すると、制御部１５は、回路基板７に搭載したＩＣ７８に、各商品の在庫情報を送信し、在庫がある商品については、制御部１５からの点灯信号に基づき、ＩＣ７８が回路基板７上に搭載された販売可表示用の赤色ＬＥＤ７２を点灯させる。一方、販売商品が売切れになると、自動販売機１００内にある商品搬出装置が備える売切れ感知部（図示せず）に検知され、売切れ感知部から制御部１５にどの商品が売切れになったか売切れ情報信号が送信される。売切れ情報信号を受け取った制御部１５は、回路基板７に搭載されたＩＣ７８に当該売切れ商品の売切れ表示用の赤色ＬＥＤ７３を点灯させる。赤色ＬＥＤ７２、７３の光あるいは７セグメント表示器７１の表示は、リフレクタ６の光通過穴６ｂを通り、リフレクト面６ａで反射されて透光性を有するシリコンカバー５、ネームプレート４の図形４１ａ、文字４１ｂ、４１ｃ、あるいは切り欠き窓４１ｄの部分、さらに押釦３０を通って外部へ放射される。販売可表示用の赤色ＬＥＤ７２が点灯して販売が可能なとき、購入者は、押釦３０を透過して見える７セグメント表示器７１の表示により価格が示された希望する商品に対応する押釦３０を押下する。押釦３０を押下すると、シリコンカバー５の突起部５ｃが押し下げられ、スイッチ７５のアクチュエータ部７５ａを押し下げ、回路基板７のスイッチ７５を「オン」にする。回路基板７に搭載されたＩＣ７８は、どの押釦３０が押されたかを制御部１５に送信する。制御部１５は、選択された商品を商品取出口１１１へ搬出するよう必要な制御信号を図示しない商品搬送装置などに送信する。商品は、商品搬送装置により商品取出口１１１に排出される。このようにして購入者は、商品を購入することができる。
【００２７】
以上説明したように、本実施の形態に係る自動販売機用押釦スイッチ１によれば、以下の効果を奏することができる。
（１）ベース８に放熱穴８７をあけてあるため、回路基板７に搭載した部品からの放熱が期待でき、回路基板に搭載された回路部品が高温にさらされることがなくなり、回路部品の長寿命化および部品性能の安定化が期待できる。
（２）押釦３０の鍔部３０ａの上方部３０ｂが、ケース２の開口段部２ｂとシリコンカバー５の厚肉部５ｂとにより挟持されており、上方部３０ｂがヒンジの役目を果たすため、軸を必要とせず、構造が簡単で、操作も確実に行えるスイッチを得ることができる。
（３）ベース８にケーブルガイド８５を立設し、ケーブル１３、１４をケーブルガイド８５とボス部８３との間を引き回すようにしたため、チャンネル部材１０とベース８とをねじ止めする際に、ケーブル１３、１４を挟むようなことがない。
（４）ベース８に係止片８１を設け、自動販売機用押釦スイッチ１を前面パネル９に簡単に仮止めができるため、自動販売機用押釦スイッチ１の組み付けが簡単に行えるようになる。
【００２８】
なお、本発明は、上記の形態に限定されず、種々の変形実施が可能である。例えば、貫通穴の断面形状を熱の流れができるように斜めにすることが考えられる。すなわち、貫通穴の上方側は、回路基板側からベース側に向かって斜め上方に暖かな空気が流れるように図３（ｂ）において右上がりに開口し、貫通穴の下方側は、冷たい空気が回路基板側に入ってくるように図３（ｂ）において左上がりに開口することができる。また、ベースの材質を熱伝導率の大きい材料で形成すること、あるいは放熱フィンなどを形成することにより、ベースの温度を下げることにより基板が搭載されている空間の温度を下げ、結果として回路部品の温度を下げることも可能である。
【００２９】
また、押釦は、鍔部の上方をケースの開口段部とシリコンカバーの厚肉部とにより挟持し、この部分をヒンジの役目を果たすことにしたが、押釦とシリコンカバーがしっかりと固定できれば、厚肉部を設けなくても、シリコンカバーの弾性によって押釦はケース側に押されるため、誤作動のないスイッチ動作をすることができる。
【００３０】
さらに、ケーブルガイドは、平板状のものであるが、自動販売機用スイッチを前面パネルに組み付ける際に、前面パネルの裏側とチャンネル部材との間にケーブルを挟み込まないようにするものである。従って、ケーブルが挟み込まれなければよいので、形状や本数には限定されない。
【００３１】
また、自動販売機用押釦スイッチと前面パネルとを仮止めするための係止片については、前面パネルの挿通穴の縦辺を利用するものであるが、横辺を利用するものであってもよい。この場合、前面パネルから自動販売機用押釦スイッチが脱落することがなく、かつ、自動販売機用押釦スイッチの取り付けに支障がなければ、他の部材によって仮止めしてもよい。また、７セグメント表示器は、ＬＥＤをドットマトリックス状に配置したものでよもよく、液晶表示器でもよい。
【００３２】
【発明の効果】
以上説明したように、本発明の自動販売機用押釦スイッチによれば、回路基板から導出されるケーブルは、ベース内を引き回すときに、案内部材に案内されるようにしたため、自動販売機用押釦スイッチが取り付けられる前面パネルの裏側と取付部材間にケーブルを挟むことがなく自動販売機用押釦スイッチを前面パネルに取り付けることができる。
【図面の簡単な説明】
【図１】本発明の実施の形態に係る自動販売機用押釦スイッチを示し、図１（ａ）は正面図、図１（ｂ）は下面図、図１（ｃ）は背面図を示す。
【図２】自動販売機用押釦スイッチの断面図であって、図１のＩＩ−ＩＩ線に沿う一部拡大断面図である。
【図３】自動販売機用押釦スイッチの断面図であって、図３（ａ）は図１のＩＩＩＡ−ＩＩＩＡ線に沿う拡大断面図、図３（ｂ）は図１のＩＩＩＢ−ＩＩＩＢ線に沿う拡大断面図である。
【図４】回路基板を示し、図４（ａ）は正面図、図４（ｂ）は底面図、図４（ｃ）は背面図を示す。
【図５】スイッチ部の詳細を示し、図６（ａ）は図１のＶＡ−ＶＡ線に沿う断面図、図６（ｂ）はスイッチ部の拡大正面図である。
【図６】組立て状態を示す分解斜視図を示す。
【図７】自動販売機用押釦スイッチを前面パネルに取り付ける場合の概念図である。
【図８】ケーブルの引き回しを示す。
【図９】本発明に係る自動販売機用押釦スイッチを適用した自動販売機を示す。
【符号の説明】
１      自動販売機用押釦スイッチ
２      ケース
２ａ    押釦穴
２ｂ    開口段部
３      スイッチ部
４      ネームプレート
５      シリコンカバー
５ａ    周縁部
５ｂ    厚肉部
５ｃ    突起部
６      リフレクタ
６ａ    リフレクト面
６ｂ    光通過穴
７      回路基板
７ａ    貫通穴
８      ベース
８ａ    周縁段部
８ｂ    細溝部
８ｃ    穴部
９      前面パネル
１０    チャンネル部材
１０ａ  ねじ穴
１１    パッキン
１３、１４    ケーブル
１３ａ、１３ｂ、１４ａ、１４ｂ  コネクタ
１５    制御部
３０    押釦
３０ａ  鍔部
３０ｂ  上方部
３０ｃ  左右部
３０ｄ  下方部
３１ｅ  突起
４１ａ  図形
４１ｂ、４１ｃ  文字
４１ｄ  切り欠き窓
７１    ７セグメント表示器
７２〜７４  ＬＥＤ
７５    スイッチ
７５ａ    アクチュエータ部
７６    端子
７７    電流制限抵抗
７８    ＩＣ
７９    コネクタ
８１    係止片
８１ａ  屈曲部
８１ｂ  傾斜部
８１ｃ  先端
８２    ねじ穴
８３    ボス部
８３ａ  リブ
８５    ケーブルガイド
８７    放熱穴
８７ａ  リブ
９１    挿通穴
９１ａ  縦辺
１００  自動販売機
１０１  販売機本体
１０２  主扉
１０３  前面パネル
１０４  商品サンプル
１０５  サブパネル
１０６  紙幣挿入口
１０７  硬貨投入口
１０８  返却レバー
１０９  表示器
１１０  ドアロック
１１１  商品取出口
１１２  釣銭返却口
１２０  熱の流れ方向を示す矢印
【図１】
2004192886.tif 000003
【図２】
2004192886.tif 000004
【図３】
2004192886.tif 000005
【図４】
2004192886.tif 000006
【図５】
2004192886.tif 000007
【図６】
2004192886.tif 000008
【図７】
2004192886.tif 000009
【図８】
2004192886.tif 000010
【図９】
2004192886.tif 000011